(57)【特許請求の範囲】
【請求項１】
放送を受信する放送受信部と、前記受信した放送のコンテンツを記録する記録部と、制御部と、を備えた音楽記録再生装置において、
前記音楽記録再生装置は、前記放送受信部が受信した放送の放送電波の受信強度が所定の電界強度以上であるか否かを判別する電界強度判定部と、前記放送受信部で得られた復調信号に含まれるステレオ信号の有無を検出するステレオ信号検出部と、前記放送受信部で得られた復調信号の周波数を解析し該周波数が音楽コンテンツであるか否かの判別を行う周波数解析部と、を備え、
前記電界強度判定部により前記放送電波の受信強度が所定の電界強度以上であることが判別され、前記ステレオ信号検出部が、前記復調信号に含まれるステレオ信号を検出したとき、前記周波数解析部は、前記復調信号の周波数解析を行い、該周波数が音楽コンテンツであるか否かを判別し、前記制御部は、前記周波数解析部により前記周波数が音楽コンテンツである判別がされると、該音楽コンテンツを抽出し、また、前記周波数解析部に記憶しておいた音楽ジャンル毎の周波数特性のパターンと、前記放送受信部で得られた復調信号の周波数パターンを比較して音楽部分を抽出し前記記録部に記録することを特徴とする音楽記録再生装置。
【請求項２】
前記音楽記録再生装置は、現在位置検出部と、道路をノードとノード間を接続するリンクで表現した道路データを記憶する地図記憶部と、前記道路データに基づいて経路探索を行うナビ制御部と、を備え、ナビ制御部が経路探索した案内経路に基づいて経路案内するナビゲーション機能を有することを特徴とする請求項１に記載のナビゲーション機能を有する音楽記録再生装置。
【発明の詳細な説明】
【技術分野】
【０００１】
本発明は、アナログ放送やデジタル放送に対応したテレビジョン放送受信機能、ＡＭ放送やＦＭ放送に対応したラジオ放送受信機能などを持ち、音楽コンテンツを受信して記録再生することができる音楽記録再生装置に関するものであり、特に、音楽コンテンツを含む放送を受信してハーディスクからなる記憶部に音楽コンテンツを記録することができる音楽記録再生装置において、受信中の放送の受信レベル、例えば、放送電波の受信電界強度が所定のレベル以上あるいは放送受信部で得られた復調信号に含まれるステレオ信号を検出できた場合に限り放送受信部で得られた復調信号の周波数解析を行い音楽コンテンツの判定を行うようにした音楽記録再生装置に関するものである。
【背景技術】
【０００２】
最近では、ナビゲーション装置、音楽プレーヤー、ＤＶＤプレーヤー、アナログ放送やデジタル放送に対応したテレビジョン受信機など各種の電子装置が小型化され、携帯可能な装置として、あるいは車載用の装置として提供されている。特に車載用の装置としては、上記の各種機能を複合して備えた電子装置も提供されている。
【０００３】
車載用のナビゲーション装置は、例えば、下記の特許文献１（特開２００３−１３０６６９号公報）に開示されているように、所要のリンクコストを設定した地図データを用い、各リンクに設定されたリンクコストに基づいて、出発地から目的地までのリンクコストの累計が最少になる経路を探索して案内するものである。
【０００４】
また、車載用のナビゲーション装置においては、アナログ放送やデジタル放送に対応したテレビジョン放送受信機能やＡＭ放送やＦＭ放送に対応したラジオ放送受信機能を併せ持った装置が数多く提供されている。
【０００５】
このようなナビゲーション装置では、ハードディスク部に経路探索、地図表示のための地図データが記憶される。最近ではハードディスク部の記憶容量が飛躍的に増大したことから、地図データを記憶したハードディスク部の一部を用いて受信した放送の音楽データなどのコンテンツを記憶できるようにしたナビゲーション装置も提案されている。
【０００６】
通常、ＣＤやＤＶＤなどに記録され音楽コンテンツを再生しながら再生装置内の記憶部に記録し、あるいは、放送を受信してその中に含まれる音楽コンテンツを放送受信装置内の記録部に記録したりする場合、再生中の音楽コンテンツのデータや放送受信部で受信した放送信号をデジタルデータに変換して音楽抽出部によって音楽データのみを抽出しながらＲＡＭに一時記録し、１つの楽曲の記録が完了すると、ハードディスクからなる記憶部にその楽曲の音楽データを記録するようにされる。
【０００７】
例えば、下記の特許文献２（特開２００６−２７７７９２号公報）には、音楽データの圧縮処理と再生処理とを並行して実行する際に、圧縮処理された圧縮音楽データを一時的に順次ＤＳＰ用ワークＲＡＭ１６に記憶し、このＤＳＰ用ワークＲＡＭに記憶されている圧縮音楽データに基づいて再生処理を実行するとともに、１曲分の音楽データの圧縮処理が完了したときに、ＤＳＰ用ワークＲＡＭに記憶されている圧縮音楽データをハードディスクドライブに転送して格納するようにした情報記録再生装置が開示されている。
【０００８】
一方、ラジオ放送を受信し、音楽コンテンツの楽曲部分を記録するようにした録音再生装置は、例えば、下記の特許文献３（特開２００６−９９８５４号公報）にラジオ放送録音再生装置の発明として開示されている。このラジオ放送録音再生装置は、受信した放送電波の周波数を解析して音楽コンテンツの部分を抽出して記録するように構成されたものである。
【０００９】
すなわち、このラジオ放送録音再生装置は、ラジオチューナにより放送局を選択し、そのラジオ放送に含まれている個々のコンテンツに関する情報をコンテンツ検出部により検出し、検出したコンテンツに関する情報とラジオ放送とを関連付けて音楽録音用メモリに蓄積し、コンテンツ再生部で上記検出したコンテンツに関わる情報によってコンテンツを抽出し、コンテンツの送り及び戻し再生を行うように構成されたものである。コンテンツが音楽の場合、コンテンツ検出部は周波数分析により音楽部分とＤＪなどの会話部分を区分して音楽部分を抽出し、放送局情報取得部から、その曲情報と時刻情報を取得して関連付け、音楽コンテンツのデータは必要に応じてデータ圧縮部で圧縮されてラジオ放送録音用メモリに出力されるように構成されている。
【特許文献１】特開２００３−１３０６６９号公報
【特許文献２】特開２００６−２７７７９２号公報
【特許文献３】特開２００６−９９８５４号公報
【発明の開示】
【発明が解決しようとする課題】
【００１０】
音楽記録再生装置において、ＦＭ放送などの放送を受信して、放送中に含まれる音楽コンテンツを録音する場合、上記特許文献３に開示された技術を適用することができる。一般的に、人の話し声は周波数が比較的低く、一定の判定周波数レベル以上か否かを識別して周波数解析することによりトーク番組やナレーション、ＤＪ部分などと音楽部分を分離することができ、放送の中から音楽コンテンツの部分だけを抽出することができる。
【００１１】
しかしながら、放送受信部で得られた復調信号の周波数を解析して音楽コンテンツの部分を抽出する場合、受信した電波の電界強度が小さいと、周波数解析のみでは音楽部分とトーク部分を分離できないケースが生じる。すなわち、放送の受信状態が悪くなると一定の判定周波数以上の周波数を含むノイズ成分が大きくなる傾向があり、音楽コンテンツの抽出が困難になるという問題点があり、上記特許文献３に開示された技術を適用しただけでは、この問題を解消することはできない。
【００１２】
本願の発明者は、上記の問題点を解消すべく種々検討を重ねた結果、音楽コンテンツを含む放送を受信してハーディスクからなる記憶部に音楽コンテンツを記録することができる音楽記録再生装置において、受信中の放送の放送電波の受信レベル、例えば、放送電波の受信電界強度が所定のレベル以上あるいは放送受信部で得られた復調信号に含まれるステレオ信号を検出できた場合に限り放送受信部で得られた復調信号の周波数解析による音楽コンテンツの判定を行うようになせば上記の問題点を解消し得ることに想到して本発明を完成するに至ったものである。
【００１３】
すなわち、本発明は、上記の問題点を解消することを課題とし、受信したラジオ放送から容易に音楽コンテンツを抽出して記録、再生することができる音楽記録再生装置およびナビゲーション機能を有する音楽記録再生装置を提供することを目的とするものである。
【課題を解決するための手段】
【００１４】
前記課題を解決するために、本願の請求項１にかかる発明は、
放送を受信する放送受信部と、前記受信した放送のコンテンツを記録する記録部と、制御部と、を備えた音楽記録再生装置において、
前記音楽記録再生装置は、前記放送受信部が受信した放送の放送電波の受信強度が所定の電界強度以上であるか否かを判別する電界強度判定部と、前記放送受信部で得られた復調信号の周波数を解析し該周波数が音楽コンテンツであるか否かの判別を行う周波数解析部と、を備え、
前記電界強度判定部により前記放送電波の受信強度が所定の電界強度以上であることが判別されると、前記周波数解析部は、前記復調信号の周波数解析を行い、該周波数が音楽コンテンツであるか否かを判別し、前記制御部は、前記周波数解析部により前記周波数が音楽コンテンツである判別がされると、該音楽コンテンツを抽出し前記記録部に記録することを特徴とする。
【００１５】
また、本願の請求項２にかかる発明は、
放送を受信する放送受信部と、前記受信した放送のコンテンツを記録する記録部と、制御部と、を備えた音楽記録再生装置において、
前記音楽記録再生装置は、前記放送受信部で得られた復調信号に含まれるステレオ信号の有無を検出するステレオ信号検出部と、前記復調信号の周波数を解析し該周波数が音楽コンテンツであるか否かの判別を行う周波数解析部と、を備え、
前記ステレオ信号検出部により前記復調信号に含まれるステレオ信号が検出されたとき、前記周波数解析部は、前記復調信号の周波数解析を行い、該周波数が音楽コンテンツであるか否かを判別し、前記制御部は、前記周波数解析部により前記周波数が音楽コンテンツである判別がされると、該音楽コンテンツを抽出し前記記録部に記録することを特徴とする。
【００１６】
また、本願の請求項３にかかる発明は、請求項１にかかる音楽記録再生装置において、前記電界強度判定部が、前記放送電波の受信強度が所定の電界強度以上であると判別し、前記ステレオ信号検出部が、前記復調信号に含まれるステレオ信号を検出したとき、前記周波数解析部は、前記復調信号の周波数解析を行うことを特徴とする。
【００１７】
また、本願の請求項４にかかる発明は、請求項１から請求項３の何れかにかかる音楽記録再生装置において、前記音楽記録再生装置は、現在位置検出部と、道路をノードとノード間を接続するリンクで表現した道路データを記憶する地図記憶部と、前記道路データに基づいて経路探索を行うナビ制御部と、を備え、ナビ制御部が経路探索した案内経路に基づいて経路案内するナビゲーション機能を有することを特徴とする。
【発明の効果】
【００１８】
請求項１にかかる発明においては、電界強度判定部により前記放送電波の受信強度が所定の電界強度以上であることが判別されると、前記周波数解析部は、前記復調信号の周波数解析を行い、該周波数が音楽コンテンツであるか否かを判別し、前記制御部は、前記周波数解析部により前記周波数が音楽コンテンツである判別がされると、該音楽コンテンツを抽出し前記記録部に記録する。
【００１９】
かかる構成によれば、ラジオ放送やテレビジョン放送から容易に音楽コンテンツを抽出することができ、ノイズの影響があると推定される場合には音楽コンテンツの判別をすることがないから音楽コンテンツの抽出を適切な信頼度で行うことができるようになる。
【００２０】
請求項２にかかる発明においては、ステレオ信号検出部により前記復調信号に含まれるステレオ信号が検出されたとき、前記周波数解析部は、前記復調信号の周波数解析を行い、該周波数が音楽コンテンツであるか否かを判別し、前記制御部は、前記周波数解析部により前記周波数が音楽コンテンツである判別がされると、該音楽コンテンツを抽出し前記記録部に記録する。
【００２１】
かかる構成によれば、ラジオ放送やテレビジョン放送から容易に音楽コンテンツを抽出することができ、ステレオ信号が検出できない場合には音楽コンテンツの判別をすることがないから音楽コンテンツの抽出を適切な信頼度で行うことができるようになる。
【００２２】
請求項３にかかる発明においては、請求項１にかかる発明において、電界強度判定部が、前記放送電波の受信強度が所定の電界強度以上であると判別し、前記ステレオ信号検出部が、前記復調信号に含まれるステレオ信号を検出したとき、前記周波数解析部は、前記復調信号の周波数解析を行う。
【００２３】
かかる構成によれば、ラジオ放送やテレビジョン放送から容易に音楽コンテンツを抽出することができ、ステレオ信号が検出できない場合には音楽コンテンツの判別をすることがなく、また、ノイズの影響があると推定される場合には音楽コンテンツの判別をすることがないから音楽コンテンツの抽出を適切な信頼度で行うことができるようになる。
【００２４】
請求項４にかかる発明においては、請求項１から請求項３の何れかにかかる音楽記録再生装置において、前記音楽記録再生装置は、現在位置検出部と、道路をノードとノード間を接続するリンクで表現した道路データを記憶する地図記憶部と、前記道路データに基づいて経路探索を行うナビ制御部と、を備え、ナビ制御部が経路探索した案内経路に基づいて経路案内するナビゲーション機能を有する。
【００２５】
かかる構成によれば、ナビゲーション機能を有する音楽記録再生装置において、ラジオ放送やテレビジョン放送から容易に音楽コンテンツを抽出することができ、また、音楽コンテンツの抽出を適切な信頼度で行うことができるようになる。
【発明を実施するための最良の形態】
【００２６】
以下、本発明の具体例を実施例及び図面を用いて詳細に説明する。但し、以下に示す実施例は、本発明の技術思想を具体化するための音楽記録再生装置を例示するものであって、本発明をこの音楽記録再生装置に特定することを意図するものではなく、特許請求の範囲に含まれるその他の実施形態の音楽記録再生装置にも等しく適用し得るものである。なお、以下の実施例においては、音楽記録再生装置がナビゲーション機能を有する複合装置である場合を例に本発明を詳細に説明する。
【実施例１】
【００２７】
図１は本発明の実施例１にかかるナビゲーション機能を有する音楽記録再生装置の詳細な構成を示すブロック図である。
【００２８】
以下、音楽記録再生装置をナビゲーション装置１として説明する。
【００２９】
ナビゲーション装置１は、自動車等の車両のダッシュボード上に載置されることにより車載用として使用されるだけでなく、車両から取り外されユーザが携帯し使用できるタイプのものであってもよい。また、このナビゲーション装置１は、ＡＭ放送やＦＭ放送に対応したラジオ放送受信機能などを併せ持ったナビゲーション装置である。
【００３０】
なお、本実施例において説明する音楽コンテンツとは音楽放送（番組）、または、音楽放送中（番組中）に含まれる楽曲部分を示す。
【００３１】
制御手段１０は、図示しないＣＰＵ、ＲＯＭおよびＲＡＭ１２からなるプロセッサで構成され、ＲＯＭに記録された制御プログラムに従ってナビゲーション装置１の各部の動作を制御するものである。
【００３２】
また、制御手段１０は、以下に説明を行うラジオ放送受信部１１が受信した放送をＲＡＭ１２に一時記憶する制御およびＲＡＭ１２に一時記憶された放送を記憶部であるハードディスク部１８に記録（録音）する制御を行う。
【００３３】
ラジオ放送受信部１１は、アンテナ１９を介して放送局からの放送を受信して復調信号を得る。このため、ラジオ放送受信部１１は、図示を省略しているが、一般的な放送受信部と同様にフロントエンド部、中間周波数増幅部、ＦＭ復調部などの復調部を備えて構成される。
【００３４】
操作部１３は、各種キーやスイッチ等から構成され、ナビゲーション装置１におけるラジオ放送の受信とナビゲーション機能の実行指示を行う。
【００３５】
なお、操作部１３は、後述する表示手段１４にタッチパネル機能を備えることにより画面上に表示されたアイコン等に触れることで入力可能としてもよい。
【００３６】
表示手段１４は、地図画像や地図画像上の案内経路を他の道路と識別可能に表示するものであり、例えば液晶ディスプレイ等で構成される。
【００３７】
地図記憶部１５は、各道路の交差点や分岐点などの結節点をノードとし、それぞれのノード間を結ぶ経路をリンクとした道路ノードデータ（ノードデータ）と道路リンクデータ（リンクデータ）を含む道路データを記憶する。
【００３８】
現在位置検出部１６は、例えばＧＰＳ受信機等で構成され、地球上空を周回している複数のＧＰＳ衛星からの時刻情報を含む電波を受信し、それをもとに現在位置情報を算出するものである。
【００３９】
ナビ制御部１７は、経路探索および経路案内などのナビゲーション機能の制御を司るものであり、操作部１３を介しユーザによって出発地や目的地が指定されると、地図記憶部１５に記憶されている道路データを参照し、出発地から目的地に至る最適経路を探索し、案内経路データを作成するものである。
【００４０】
電界強度判定部２０は、ラジオ放送受信部１１が受信した放送の放送電波の受信強度を検出して、所定の電界強度以上の受信レベルであるか否かを判別する。（以下、省略して放送の受信強度、または放送の電界強度と記載する）
周波数解析部２１は、電界強度判定部２０により放送の受信強度が所定の受信レベル以上であることが判定されると、ラジオ放送受信部１１で受信され図示しないフロントエンド部、中間周波数増幅部、ＦＭ復調部などの復調部で復調された復調信号（以下、省略してラジオ放送受信部１１で得られた復調信号と記載する）の周波数を解析し、音楽コンテンツの判定を行うものであり、この周波数解析の結果、音楽コンテンツと判定されると、制御手段１０により音楽コンテンツが抽出されＲＡＭ１２に一時記憶される。ＲＡＭ１２に記憶された音楽コンテンツのデータは、必要に応じて圧縮処理され、記憶部であるハードディスク部１８に記録（録音）される。
【００４１】
ラジオ放送受信部１１で得られた復調信号の周波数を解析して音楽コンテンツを抽出する場合、受信した放送の放送電波の電界強度が小さいと、周波数解析のみでは音楽コンテンツを判定できないケースが生じる。すなわち、放送の受信状態が悪くなるとノイズ成分が大きくなる傾向があり、ノイズ成分を音楽コンテンツと誤判定してしまう問題点が生じる。
【００４２】
そこで、本願では、受信中の放送の受信レベル、例えば、放送の受信電界強度が所定のレベル以上であるときに限り周波数解析による音楽コンテンツの判定を行うものとする。
【００４３】
この時、ＦＭ放送であれば、ＦＭ多重放送の文字情報等から得られる曲名や演奏アーティスト、放送日時、放送時刻などの楽曲情報を、ハードディスク部１８に記録（録音）する音楽コンテンツのデータと関連付けして楽曲リストを作成し、再生時に利用するようにできる。対応付けは番組情報などの放送時刻情報を用いて行うことができる。
【００４４】
周波数解析部２１における周波数解析の方法としては種々の方法を採ることができる。例えば、会話部分と音楽部分を識別するこめの閾値を判定周波数レベルとして予め決定しておき、ラジオ放送受信部１１で得られた復調信号の周波数レベルが判定周波数レベルより大きいか、小さいかを判別して音楽部分を抽出するように構成することができる。
【００４５】
また、周波数解析部２１に、クラッシック、ポップス、ロックなどの各種の音楽ジャンル毎の周波数特性のパターンを記憶しておき、ラジオ放送受信部１１で得られた復調信号の周波数のパターンを比較して音楽部分を抽出するように構成することもできる。また、高調波領域の解析を加えたり、受信した放送の電波のパワー変動を加味して音楽部分を抽出するようにしてもよい。
【００４６】
このような構成によれば、受信したラジオ放送やテレビジョン放送から容易に音楽コンテンツを抽出することができ、ノイズの影響があると推定される場合には音楽コンテンツの判別をすることがないから音楽コンテンツの抽出を適切な信頼度で行うことができるようになる。
【００４７】
次に、以上説明した本発明の実施例１にかかる音楽記録再生装置１における音楽部分の録音動作の手順を説明する。
【００４８】
図２は、図１に示す楽記録再生装置１における音楽コンテンツの録音処理手順を示すフローチャートである。
【００４９】
なお、図２のフローチャートは、本ナビゲーション装置１における制御手段１０の制御動作に基づき説明を行う。
【００５０】
放送を受信して音楽コンテンツを録音しようとする場合、ステップＳ１０１において、ユーザにより、放送受信、録音モードが設定され、所望の放送曲、番組が指定されると、ステップＳ１０２において、ラジオ放送受信部１１は、ステップＳ１０１で指定された放送の受信を開始する。ラジオ放送受信部１１が放送の受信を開始すると、電界強度判定部２０は、ステップＳ１０３でラジオ放送受信部１１により受信された放送の電界強度を検出する。
【００５１】
そして、ステップＳ１０４の処理において、ラジオ放送受信部１１が受信した放送の受信強度が所定の電界強度以上の受信レベルであるか否かを判定し、所定の電界強度以上の受信レベルでない場合は、放送を録音せず、ステップ１０８の処理に進み、録音指示が終了したか否かを判別し、録音終了でなければステップＳ１０２の放送受信に戻る。
【００５２】
ステップＳ１０４の判定処理において、ラジオ放送受信部１１が受信した放送の受信強度が所定の電界強度以上の受信レベルであると判定すると、ステップＳ１０５の処理に進み、周波数解析部２１は、ラジオ放送受信部１１で得られた復調信号の周波数解析を行う。ステップＳ１０５の周波数解析を行い、ステップＳ１０６において復調信号の周波数が音楽コンテンツであるか否かを判定する。
【００５３】
この周波数解析の結果、音楽コンテンツである（楽曲部分有り）と識別すると、ステップＳ１０７の処理に進み、音楽コンテンツのデータをＲＡＭ１２に一時記憶する。音楽コンテンツを抽出し終えると、ＲＡＭ１２に記憶されたか音楽コンテンツのデータを、必要に応じて圧縮処理し、記憶部であるハードディスク部１８に記録（録音）する。
【００５４】
ステップＳ１０６の処理において、音楽コンテンツではないと判定すると、放送コンテンツを録音せず、ステップ１０８の処理に進み、録音指示が終了したか否かを判別し、録音終了でなければステップＳ１０２の放送受信に戻る。
【００５５】
ステップＳ１０８の判別処理において、録音終了でなければステップＳ１０２の放送受信に戻り、録音終了と判別されると音楽記録再生装置１は録音の処理を終了する。
【実施例２】
【００５６】
以上説明した実施例１にかかる音楽記録再生装置１においては、ラジオ放送受信部１１が受信した放送の受信電界強度が所定のレベル以上であるか否かを判別したが、この電界強度の判定に代わりステレオ信号有無の検出による判定を用いることもできる。
【００５７】
図３は、ステレオ信号の受信レベルを用いた本発明の実施例２にかかる音楽記録再生装置１の構成を示すブロック図である。
【００５８】
図３の音楽記録再生装置１の構成は、基本的に実施例１にかかる音楽記録再生装置１の構成と同様であり、図１と同様の構成要素は同一の参照符号を付してある。図３の音楽記録装置１は、図１の音楽記録装置１の電界強度判定部２０に代わりステレオ信号検出部３０が設けられている点が異なる。
【００５９】
一般に、ラジオ放送により音楽コンテンツを受信する場合、ステレオ放送である場合が多く音楽記録再生装置はステレオ信号の検出機能を有している。
【００６０】
ステレオ信号検出部３０は、ラジオ放送受信部１１で得られた復調信号に含まれるステレオ信号の有無を検出するものであり、音楽コンテンツの放送に用いられるものであるから、ステレオ信号検出部３０がステレオ信号検出の有無を判定することで実施例１と同様の処理を行うことができる。
【００６１】
すなわち、ラジオ放送受信部１１で放送を受信して音楽コンテツを録音する際、ステレオ信号検出部３０はラジオ放送受信部１１で得られた復調信号からステレオ信号を抽出し、その有無を判別する。その際、ステレオ信号の受信強度を検出して、所定の受信強度以上の受信レベルであるか否かを判定して、受信電界強度判定を兼ねることもできる。
【００６２】
復調信号からステレオ信号が検出された場合、音楽コンテンツを含む可能性が大であるので、周波数解析部２１は、復調信号の周波数解析を行い、音楽コンテンツであると識別すると、音楽コンテンツはＲＡＭ１２に一時記憶される。ＲＡＭ１２に記憶された音楽コンテンツのデータは、必要に応じて圧縮処理され、記憶部であるハードディスク部１８に記録（録音）される。
【００６３】
また、実施例１における受信電界強度の判定を加味し、ラジオ放送受信部１１が受信した放送の受信電界強度が所定のレベル以上であり、さらにラジオ放送受信部１１で得られた復調信号からステレオ信号が検出されると、周波数解析部２１による周波数解析を行わせるようにしてもよい。
【００６４】
以上、詳細に説明したように、本発明にかかる音楽記録再生装置１によれば、受信したラジオ放送やテレビジョン放送から容易に音楽コンテンツを抽出することができ、ノイズの影響があると推定される場合には音楽コンテンツの判別をすることがないから音楽コンテンツ抽出を適切な信頼度で行うことができるようになる。
【図面の簡単な説明】
【００６５】
【図１】本発明の実施例１にかかる音楽記録再生装置の構成を示すブロック図である。
【図２】本発明の実施例１にかかる音楽記録再生装置における処理手順を示すフローチャートである。
【図３】本発明の実施例２にかかる音楽記録再生装置の構成を示すブロック図である。
【符号の説明】
【００６６】
１  ：    音楽記録再生装置（ナビゲーション装置）
１０：    制御手段
１１：    ラジオ放送受信部（放送受信部）
１２：    ＲＡＭ
１３：    操作部
１４：    表示部
１５：    地図記憶部
１６：    現在位置検出部
１７：    ナビ制御部
１８：    記録部（ハードディスク部）
１９：    アンテナ
２０：    電界強度判定部
２１：    周波数解析部
３０：    ステレオ信号検出部
【図１】
0005028321.tif 000002
【図２】
0005028321.tif 000003
【図３】
0005028321.tif 000004